(57)【要約】      （修正有）【課題】素子基板のマスク枚数を抑えて、ディスクリネーションを効率良く隠すとともに、比視感度の高い緑色を表示する画素についても光漏れが目立ちにくい半導体装置を提供する。【解決手段】素子基板のソース配線１０８、ゲート電極、容量電極１０３、電気的に浮いた遮光膜１０２を画素電極のエッジあるいは、ディスクリネーションによる光漏れが出やすい領域に配置して、配線用のマスク枚数が二枚でも効率良くディスクリネーションによる光漏れを隠すとともに、緑色のカラーフィルタに対向する画素におけるドレイン電極１０９と透光性を有する導電膜との重なる領域を広くする。【選択図】図１
2014222358.tif 000002
【特許請求の範囲】
【請求項１】
第一の遮光性を有する導電膜からなるゲート配線及び容量電極と、
第二の遮光性を有する導電膜からなるソース配線及びドレイン電極と、
前記ドレイン電極に電気的に接続された透光性を有する導電膜とを有し、
前記容量電極の一部が前記ソース配線と前記透光性を有する導電膜の間隙と重なり、かつ、前記ソース配線及び前記透光性を有する導電膜のエッジに重なって配置されたことを特徴とする半導体装置。
【請求項２】
第一の遮光性を有する導電膜からなるゲート配線と、
第二の遮光性を有する導電膜からなるソース配線及びドレイン電極と、
前記ドレイン電極に電気的に接続された透光性を有する導電膜と、
前記第一の遮光性を有する導電膜あるいは第二の遮光性を有する導電膜からなる電気的に孤立した島状のパターンとを有することを特徴とする半導体装置。
【請求項３】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記ドレイン電極の一部が前記透光性を有する導電膜のエッジ及び前記ソース配線のエッジに重なって配置されたことを特徴とする半導体装置。
【請求項４】
請求項３において、前記透光性を有する導電膜の上方に配置されたカラーフィルターを有し、
前記カラーフィルターの色に応じて前記透光性を有する導電膜と前記ソース配線に重なって配置された前記ドレイン電極の面積が異なることを特徴とする半導体装置。
【請求項５】
請求項３において、前記透光性を有する導電膜の上方に配置されたカラーフィルターを有し、
前記カラーフィルターの色の比視感度に応じて前記透光性を有する導電膜と前記ソース配線に重なって配置された前記ドレイン電極の面積が異なることを特徴とする半導体装置。
【請求項６】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記島状のゲート電極の一部が前記透光性を有する導電膜と前記ゲート配線の間隙に重なり、かつ、前記透光性を有する導電膜及び前記ゲート配線のエッジに重なって配置されたことを特徴とする半導体装置。
【請求項７】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記ソース配線の第一の幅に対し前記ソース配線の第二の幅が２倍以上あり、
前記ソース配線の第二の幅を持つ領域が前記透光性の導電膜に重なって配置されることを特徴とする半導体装置。
【請求項８】
請求項１乃至７のいずれか一項において、
前記ドレイン電極に接して重ねられた前記透光性を有する導電膜があることを特徴とする半導体装置。
【発明の詳細な説明】
【技術分野】
【０００１】
本願発明は薄膜トランジスタ（以下、ＴＦＴという）で構成された回路を有する半導体
装置およびその作製方法に関する。例えば、液晶表示パネルに代表される半導体装置およ
びその様な半導体装置を部品として搭載した電子機器に関する。
【０００２】
なお、本明細書中において半導体装置とは、半導体特性を利用することで機能しうる装
置全般を指し、半導体装置、半導体回路および電子機器は全て半導体装置である。
【背景技術】
【０００３】
近年、絶縁表面を有する基板上に形成された半導体薄膜（厚さ数〜数百ｎｍ程度）を用
いて薄膜トランジスタ（ＴＦＴ）を構成する技術が注目されている。薄膜トランジスタは
ＩＣや半導体装置のような電子デバイスに広く応用され、特に液晶表示装置のスイッチン
グ素子として開発が急がれている。
【０００４】
液晶表示装置には大きく分けてアクティブマトリクス型とパッシブマトリクス型の二種
類のタイプが知られている。
【０００５】
アクティブマトリクス型の液晶表示装置はスイッチング素子としてＴＦＴを用いており
、高品位な画像を得ることができる。アクティブマトリクス型の用途としてはノート型の
パーソナルコンピュータが一般的であるが、家庭用のテレビ、携帯端末用途としても期待
されている。
【０００６】
しかし、アクティブマトリクス型はパッシブマトリクス型に比べ、マスク枚数が多く、
工程数が多い。このため、アクティブマトリクス型の液晶表示装置を汎用性のあるものと
するためには、マスク枚数を減らしコストを抑えることと、歩留まりの向上が必須である
。
【０００７】
アクティブマトリクス型の液晶表示装置の素子基板は微細なゴミにより線欠陥、点欠陥が
生じてしまう。工程数が多くなると不良が発生する確率が高くなる。歩留まりの向上は、
素子基板側の工程数をいかに抑えるかにかかっている。
【０００８】
ところで、アクティブマトリクス型の液晶表示装置はライン反転駆動、素子による段差
により液晶のディスクリネーションができてしまう。良質な黒レベルを得るためには、デ
ィスクリネーションによる光漏れを隠す遮光膜が必要である。
【０００９】
しかし、アクティブマトリクス型の液晶表示装置の素子基板側に遮光膜をパターニングす
ると、遮光膜自体を形成するための工程及びマスクが増加するだけでなく、遮光膜と配線
の間に層間絶縁膜を設けて絶縁することが必要となってしまう。層間絶縁膜の形成によっ
ても、コストが上昇する。もちろん工程数の増加は歩留まりの低下を招く。
【００１０】
対向基板だけに遮光膜を形成すれば、素子基板側の工程数の増加を抑え、歩留まりの向
上を図ることができる。しかし、対向基板のみに遮光膜を形成すると、基板を貼り合わせ
るときの、アライメント精度によっては、遮光膜の位置ずれにより光漏れを隠しきれない
ときがあり、良質な黒レベルを確保できない。図２３に示すように、対向基板に形成され
た遮光膜７０１がアライメントずれにより、ずれて素子基板と貼り合わせられ、ディスク
リネーションによる光漏れ７０３が見えてしまう。特にディスクリネーションのエッジ付
近の光漏れが見えてしまう。このため、黒表示７０２に光漏れが混じり黒レベルが悪くな
る。アライメントの位置ずれによる光漏れを防ぐために、遮光領域を増やすと、開口率が
低下し、逆に明るさが損なわれる。
【００１１】
つまり、開口率とコントラストを高くし、良質な黒レベルを確保するためには素子基板
側に遮光膜を形成することは、しごく、当たり前のことである。しかし、この当たり前の
ことを、素子基板側の工程数の増加を抑えて行うには、画素の配線パターンを効率よくレ
イアウトする必要がある。
【発明の概要】
【発明が解決しようとする課題】
【００１２】
アクティブマトリクス型の液晶表示装置の良質な黒レベルを確保し、かつコストを抑え
て作製するには従来にない全く新しい画素構成が求められている。
【００１３】
本発明は、そのような要求に答えるものであり、遮光膜形成による素子基板側のマスク
数及び工程数を増加させることなく、良質な黒レベルを確保するアクティブマトリクス型
の液晶表示装置を提供することを課題とする。
【課題を解決するための手段】
【００１４】
上述した従来技術の課題を解決するために以下の手段を講じた。
【００１５】
まず、マスク数６枚で、素子基板を作製した。素子基板の構成を図１９と図２１を用い
て説明する。図１９の上面図を鎖線Ｋ−Ｋ‘と鎖線Ｌ−Ｌ’で切断したときの断面図を図
２１に示す。図１９と図２１において同じ要素を同符号で示している。
【００１６】
第一の半導体層６１３と第二の半導体層６１４が一枚のマスクでパターニングされてい
る。ソース配線６０１とゲート電極６００が一枚のマスクでパターニングされている。第
一の層間絶縁膜６１５と第二の層間絶縁膜６１６（図１９においては図示せず）を形成す
る。第二の層間絶縁膜６１６の上に接するように、ゲート配線６０２と接続電極６０３と
ドレイン電極６０４と容量接続電極６０５が一枚のマスクでパターニングされている。
【００１７】
さらに、ドレイン電極６０４と容量接続電極６０５に重なり合うように、透明画素電極
６０６を形成する。透明画素電極６０６はゲート配線６０２、接続電極６０３とショート
しないようにマージンをとる。
【００１８】
対向基板にカラーフィルタ、オーバーコート材、透明画素電極を形成し、素子基板と対
向基板をセル組みし、液晶の配向を見た。素子基板の裏面から配向の観察をした。配向は
ＴＮ方式で、混入したカイラル材は左巻きである。液晶のディスクリネーションの出る領
域を解析するために対向基板には遮光膜がない。
【００１９】
直視型の液晶表示装置をゲートライン駆動する。ゲート方向の長さが、ソース方向の長さ
に比べ短い画素では、ゲートライン反転駆動のほうがソースライン反転駆動に比べ、画素
に占めるディスクリネーションによる光漏れの割合を小さくできる。このときのディスク
リネーションを図１９〜２０に示す。
【００２０】
一画素において、素子基板の画素の先にラビングされる側のソース配線にディスクリネー
ションによる強い光漏れ６０７〜６０９が見られる。人間の眼の感度が緑において高いか
ら、比視感度の高い緑において、光漏れが強く認識される。
【００２１】
図２１の断面図よりわかるように、透明画素電極６０６の下に容量接続電極６０５とド
レイン電極６０４と接続電極６０３が形成されている。容量接続電極６０５とドレイン電
極６０４と接続電極６０３は絶縁膜により平坦化されていないため、電極自体の膜厚が液
晶配向面の段差を誘起する。これにより段差の周りに微弱な光漏れ６１０〜６１２が見ら
れた。直視型の液晶表示装置ではこのような微弱な光漏れ６１０〜６１２は大きな問題と
はならないが、投射型の液晶表示装置では良質な黒レベルを確保するために、場合によっ
ては段差による光漏れも遮光する必要がある。
【００２２】
光漏れが遮光されているせいかそれほど目立たないが、ゲートライン反転駆動のため、デ
ィスクリネーションによる光漏れがゲートラインに沿ってできる。
【００２３】
全体的に透明画素電極６０６のエッジ付近にディスクリネーションによる光漏れが見られ
た。
【００２４】
そこで、以上のような解析をふまえて、素子基板のマスク枚数は６枚のままで、ディス
クリネーションによる光漏れを効率良く隠す画素のレイアウトを作製した。注目すべきは
、たった二枚の遮光性の導電膜用のマスクで配線パターン等を形成し、素子基板において
、ディスクリネーションを隠していることである。
【００２５】
たった、二枚の遮光性の導電膜用のマスクで配線パターン等を形成するため、どうして
もディスクリネーションを隠しきれない領域ができてしまう。しかし、強く光漏れができ
る領域や、ディスクリネーションのエッジの部分を素子基板において確実に隠すことがで
きれば、対向基板の遮光膜は素子基板の遮光パターンに比べ小さくできる。素子基板を貼
り合わせるときの位置ずれが多少あっても、対向基板の遮光膜と合わせて、ディスクリネ
ーションを隠すことができる。
【００２６】
本発明は、第一の遮光性を有する導電膜からなるゲート配線及び容量電極と、第二の遮光
性を有する導電膜からなるソース配線及びドレイン電極と、前記ドレイン電極に電気的に
接続された透光性を有する導電膜とを有する半導体装置に適用することを特徴とする。
【００２７】
本発明は、第一の遮光性を有する導電膜からなる島状のゲート電極及びソース配線と、
第二の遮光性を有する導電膜からなる前記島状のゲート電極に電気的に接続するゲート配
線と、前記第二の遮光性を有する導電膜からなるドレイン電極と、前記ドレイン電極に電
気的に接続された透光性を有する導電膜とを有する半導体装置に適用することを特徴とす
る。
【００２８】
例えば、容量電極の一部がソース配線と透光性を有する導電膜の間隙と重なり、かつ、ソ
ース配線及び透光性を有する導電膜のエッジに重なって配置されたことで、透光性の導電
膜のエッジにできるディスクリネーションによる光漏れを隠すことを特徴とする。
【００２９】
また、第一の遮光性を有する導電膜あるいは第二の遮光性を有する導電膜からなる電気的
に孤立した島状のパターンを形成し、ディスクリネーションによる光漏れを隠しても良い
。
【００３０】
ドレイン電極の一部を透光性を有する導電膜のエッジ及びソース配線のエッジに重ねて配
置して、透光性を有する導電膜のエッジにできるディスクリネーションによる光漏れを隠
しても良い。
【００３１】
カラーフィルターが緑の時に特にディスクリネーションによる光漏れが他色に比べ目立つ
傾向があるため、カラーフィルターの色に応じて遮光領域の面積を変えても良い。
【００３２】
島状のゲート電極の一部を透光性を有する導電膜とゲート配線の間隙に重なり、かつ、透
光性を有する導電膜及びゲート配線のエッジに重ねて配置してディスクリネーションによ
る光漏れを隠しても良い。
【００３３】
ソース配線の一部を他の部分に対し、２倍以上望ましくは２〜４倍以上太くして、透光
性の導電膜の遮光膜としても良い。
【００３４】
本発明は、ＴＮ方式だけでなく液晶のディスクリネーションを隠す手段として広く用いる
ことができる。例えば、Ｒ-ＴＮ方式、スメクチック液晶を用いた液晶表示装置、ＩＰＳ
（Ｉｎ  Ｐｌａｎｅ  Ｓｗｉｔｃｈｉｎｇ）方式において表示が不連続な領域を隠し、画
素内の輝度を一定にする手段として用いても良い。
【００３５】
本発明は半導体素子により電圧あるいは電界を変調し、調光層を光学変調させる電気光学
装置において、画素内に表示が不連続な領域がある場合に、該領域を遮光する方法として
広く用いることができる。例えばＥＬ表示装置のスイッチング素子を形成するさいに、本
発明を適用することが可能である。
【発明の効果】
【００３６】
本発明により素子基板のマスク数及び工程数を増加させることなく、高い開口率及び良質
な黒レベルを実現した画素構造を有する液晶表示装置を実現することができる。
【図面の簡単な説明】
【００３７】
【図１】本発明の画素部上面図を示す図。（実施例１）
【図２】本発明の画素部上面図を示す図。（実施例１）
【図３】ラビング方向と遮光領域の関係を示す図。（実施例１）
【図４】アクティブマトリクス基板の断面構造図を示す図。（実施例１）
【図５】アクティブマトリクス基板の作製工程を示す図。（実施例２）
【図６】アクティブマトリクス基板の作製工程を示す図。（実施例２）
【図７】アクティブマトリクス基板の作製工程を示す図。（実施例２）
【図８】透過型液晶表示装置の断面構造図を示す図。（実施例３）
【図９】本発明の画素部上面図を示す図。（実施例４）
【図１０】ラビング方向と遮光領域の関係を示す図。（実施例４）
【図１１】アクティブマトリクス基板の断面構造図を示す図。（実施例４）
【図１２】本発明の画素部上面図を示す図。（実施例５）
【図１３】本発明の画素部上面図を示す図。（実施例５）
【図１４】ラビング方向と遮光領域の関係を示す図。（実施例５）
【図１５】アクティブマトリクス基板の断面構造図を示す図。（実施例５）
【図１６】電子機器の一例を示す図。（実施例７）
【図１７】電子機器の一例を示す図。（実施例７）
【図１８】電子機器の一例を示す図。（実施例７）
【図１９】液晶のディスクリネーションによる光漏れを示す図。
【図２０】液晶のディスクリネーションによる光漏れを示す図。
【図２１】アクティブマトリクス基板の断面構造図を示す図。
【図２２】液晶のディスクリネーションによる光漏れを示す図。
【図２３】対向基板のアライメントずれによる液晶のディスクリネーションによる光漏れを示す図。
【図２４】比視感度の波長依存性を示す図。
【発明を実施するための形態】
【実施例１】
【００３８】
本実施例では直視型の透過型の液晶表示装置を作製する。金属電極による配線パターン
のマスクはたった二枚である。二枚の配線パターンのマスクでディスクリネーションによ
る光漏れを隠す。
【００３９】
図２２のように一つの画素８０４において、対向基板のラビング方向８０２で先にラビ
ングされる側と素子基板のラビング方向８０１で先にラビングされる側と画素電極のエッ
ジにディスクリネーション８０３による光漏れが出る。ディスクリネーションによる光漏
れを隠すことができるレイアウトとする。本実施例を図１〜２を用いて説明する。配向は
ＴＮ方式、駆動はソースライン反転駆動とする。図３にラビング方向と遮光領域の関係を
示す。図１の上面図の鎖線Ａ−Ａ‘と鎖線Ｂ−Ｂ’で切断したものがは図２のＡ−Ａ‘と
鎖線Ｂ−Ｂ’で示される断面に対応する。
【００４０】
素子基板は、図１に示すように、行方向に配置されたゲート配線１０４と、列方向に配
置されたソース配線１０８と、ゲート配線とソース配線の交差部近傍の画素ＴＦＴを有す
る画素部と、ｎチャネル型ＴＦＴやｐチャネル型ＴＦＴを有する駆動回路とを含む。
【００４１】
第一の半導体層１００と第二の半導体層１０１がパターニングされている。第一の半導体
層１００はＴＦＴ素子の活性層である。第二の半導体層１０１は後述する保持容量の容量
電極として機能する。
【００４２】
ゲート絶縁膜（図示しない）に接するように、遮光膜１０２、遮光膜を兼ねた容量電極１
０３、ゲート配線１０４を形成する。遮光膜を兼ねた容量電極１０３は表示領域において
、短絡されている。
【００４３】
第一の層間絶縁膜と第二の層間絶縁膜（図示しない）を形成した後、コンタクトホール１
０５〜１０７を開ける。次に、パターニングによりソース配線１０８、遮光膜を兼ねたド
レイン電極１０９、遮光電極１１０を形成する。
【００４４】
コンタクトホール１０５により、第一の半導体層１００とソース配線１０８が電気的に
接続する。
【００４５】
コンタクトホール１０６により、第一の半導体層１００と遮光膜を兼ねたドレイン電極１
０９が電気的に接続する。
【００４６】
コンタクトホール１０７により、第二の半導体層１０１と遮光膜を兼ねたドレイン電極１
０９が電気的に接続する。
【００４７】
さらに、絶縁膜を介さずに、透明画素電極１１１を形成する。このとき、透明画素電極１
１１が遮光電極１１０、遮光膜を兼ねたドレイン電極１０９に重なり合うようにする。
【００４８】
以上の構成により、ゲート配線１０４、ソース配線１０８、遮光膜を兼ねたドレイン電極
１０９、遮光電極１１０により、ＴＦＴ素子の活性層である第一の半導体層１００を外光
から保護する。
【００４９】
遮光電極１１０を設けることで、活性層と、活性層付近にできるディスクリネーションに
よる光漏れが遮光できる。
【００５０】
透明画素電極１１１の四隅のうち先にラビングされる側にできる液晶のディスクリネー
ションを遮光膜を兼ねたドレイン電極１０７により遮光できる。
【００５１】
さらに、透明画素電極１１１の直下にある遮光膜を兼ねたドレイン電極１０９と遮光電極
１１０が０．５〜０．７５μｍ以上と厚い場合は、段差により液晶の配向が乱れて微細な
光漏れが生じるときがある。このような光漏れを遮光膜１０２で遮光できる。
【００５２】
ゲートライン反転駆動すると、横方向電界等により、ゲート配線１０４とソース配線１
０８に沿ったディスクリネーションが出る。この光漏れは視認性に大きく影響するが、デ
ィスクリネーションができる位置に、遮光膜を兼ねた容量電極１０３を形成しているため
、ディスクリネーションを隠すことができる。遮光膜を兼ねた容量電極１０３により保持
容量の面積を大きくとることができる。
【００５３】
保持容量については、画素毎に設けられた第二の半導体層１０１と表示領域で短絡された
遮光膜を兼ねた容量電極１０３を電極とする。容量電極１０３はコンタクトホール１０７
によりドレイン電極１０９と画素電極１１１と同電位になる。
ゲート絶縁膜が、容量電極の絶縁膜として機能する。
【００５４】
断面図の図４（Ａ）における遮光電極１１５と透明画素電極１１６と、図４（Ｂ）にお
ける透明画素電極１１８と半導体層１１７と、図４（Ｃ）において、遮光膜１２３と透明
画素電極１２２と遮光電極１２１は隣接する画素のものである。
【００５５】
以上の画素部の構成は５枚のマスクで作製できる。図３に図１の配線パターンによる素
子基板の遮光領域１１２を示す。たった二枚の配線パターンのマスクで遮光するため、光
が通る領域１２３〜１２６はあるが、ディスクリネーションの出る領域のエッジが隠れて
いる。対向基板の遮光膜を広めに取れば、位置ずれが多少あっても、光漏れが隠せる。ま
た、対向基板の遮光膜を広めにとっても、素子基板の遮光膜に重なり合うため、貼り合わ
せの位置ずれにより開口率は低下しない。
【００５６】
後述するように、低温ポリシリコンをＴＦＴ素子の活性層に用いると、駆動回路ＴＦＴと
画素ＴＦＴを１枚の基板に作製できる。このとき、ＣＭＯＳの駆動回路を作製するために
はｎチャネル型ＴＦＴとｐチャネル型ＴＦＴが必要である。
【００５７】
素子基板の作製工程によっては、ｐ型を付与する不純物元素をドーピングするマスクとし
て、さらに１枚の追加マスクが必要である。それでも、図１に示す画素構造を有する画素
部と駆動回路とを有する素子基板を形成するために必要なマスク数は、６枚とすることが
できる。
【００５８】
即ち、１枚が、第１の半導体層１００及び第２の半導体層１０１をパターニングするマス
ク、1枚が、ゲート配線１０４と遮光膜を兼ねた容量電極１０３と遮光膜１０２をパター
ニングするマスク、1枚がコンタクトホールを形成するマスク、１枚がソース配線１０８
及び遮光膜を兼ねたドレイン電極１０９、遮光電極１１０をパターニングするマスク、１
枚が透明画素電極１１１をパターニングするためのマスク、一枚がドーピング用のマスク
である。
【００５９】
これにより、ｎチャネル型ＴＦＴ、ｐチャネル型ＴＦＴ、ｎチャネル型ＴＦＴを有する
駆動回路部と、画素ＴＦＴ１１４、保持容量１１３とを有する画素部を同一基板上に形成
することができる。本明細書中ではこのような基板を便宜上アクティブマトリクス基板と
呼ぶ。
【００６０】
以上のように、図１に示す画素構造とした場合、素子基板においてマスク数を増やすこ
となくコントラストの良い透過型の液晶表示装置を実現することができる。
【実施例２】
【００６１】
本実施例では、実施例１をアクティブマトリクス型液晶表示装置に適用した場合の作成
方法例として、画素部のスイッチング素子である画素ＴＦＴと、画素部の周辺に設けられ
る駆動回路（信号線駆動回路、走査線駆動回路等）のＴＦＴを同一基板上に作製する方法
について工程に従って説明する。但し、説明を簡単にするために、駆動回路部にはその基
本構成回路であるＣＭＯＳ回路を、画素部の画素ＴＦＴにはｎチャネル型ＴＦＴとを、あ
る経路に沿った断面により図示することにする。
【００６２】
まず、図５（Ａ）に示すように、コーニング社の＃７０５９ガラスや＃１７３７ガラス
などに代表されるバリウムホウケイ酸ガラス、またはアルミノホウケイ酸ガラスなどのガ
ラスから成る基板４００上に酸化シリコン膜、窒化シリコン膜または酸化窒化シリコン膜
などの絶縁膜から成る下地膜４０１を形成する。例えば、プラズマＣＶＤ法でＳｉＨ4、
ＮＨ3、Ｎ2Ｏから作製される酸化窒化シリコン膜４０１ａを１０〜２００nm（好ましくは
５０〜１００nm）形成し、同様にＳｉＨ4、Ｎ2Ｏから作製される酸化窒化水素化シリコン
膜４０１ｂを５０〜２００ｎｍ（好ましくは１００〜１５０nm）の厚さに積層形成する。
本実施例では下地膜４０１を２層構造として示したが、前記絶縁膜の単層膜または２層以
上積層させた構造として形成しても良い。
【００６３】
島状半導体層４０２〜４０６は、非晶質構造を有する半導体膜をレーザー結晶化法や公
知の熱結晶化法を用いて作製した結晶質半導体膜で形成する。この島状半導体層４０２〜
４０６の厚さは２５〜８０ｎｍ（好ましくは３０〜６０ｎｍ）
の厚さで形成する。結晶質半導体膜の材料に限定はないが、好ましくはシリコンまたはシ
リコンゲルマニウム（ＳｉＧｅ）合金などで形成すると良い。
【００６４】
レーザー結晶化法で結晶質半導体膜を作製するには、パルス発振型または連続発光型の
エキシマレーザーやＹＡＧレーザー、ＹＶＯ4レーザーを用いる。これらのレーザーを用
いる場合には、レーザー発振器から放射されたレーザー光を光学系で線状に集光し半導体
膜に照射する方法を用いると良い。結晶化の条件は実施者が適宣選択するものであるが、
エキシマレーザーを用いる場合はパルス発振周波数３０Ｈｚとし、レーザーエネルギー密
度を１００〜４００mJ/cm2(代表的には２００〜３００mJ/cm2)とする。また、ＹＡＧレー
ザーを用いる場合にはその第２高調波を用いパルス発振周波数１〜１０ｋＨｚとし、レー
ザーエネルギー密度を３００〜６００mJ/cm2(代表的には３５０〜５００mJ/cm2)とすると
良い。
そして幅１００〜１０００μｍ、例えば４００μｍで線状に集光したレーザー光を基板全
面に渡って照射し、この時の線状レーザー光の重ね合わせ率（オーバーラップ率）を８０
〜９８％として行う。
【００６５】
次いで、島状半導体層４０２〜４０６を覆うゲート絶縁膜４０７を形成する。
ゲート絶縁膜４０７はプラズマＣＶＤ法またはスパッタ法を用い、厚さを４０〜１５０ｎ
ｍとしてシリコンを含む絶縁膜で形成する。本実施例では、１２０ｎｍの厚さの酸化窒化
シリコン膜で形成する。勿論、ゲート絶縁膜はこのような酸化窒化シリコン膜に限定され
るものでなく、他のシリコンを含む絶縁膜を単層または積層構造として用いても良い。例
えば、酸化シリコン膜を用いる場合には、プラズマＣＶＤ法でＴＥＯＳ（Tetraethyl Ort
hosilicate）とＯ2とを混合し、反応圧力４０Pa、基板温度３００〜４００℃とし、高周
波（１３．５６MHz）電力密度０．５〜０．８W/cm2で放電させて形成することができる。
このようにして作製される酸化シリコン膜は、その後４００〜５００℃の熱アニールによ
りゲート絶縁膜として良好な特性を得ることができる。
【００６６】
そして、ゲート絶縁膜４０７上にゲート電極を形成するための第１の導電膜４０８と第
２の導電膜４０９とを形成する。本実施例では、第１の導電膜４０８をＴａで５０〜１０
０ｎｍの厚さに形成し、第２の導電膜４０９をＷで１００〜３００ｎｍの厚さに形成する
。
【００６７】
Ｔａ膜はスパッタ法で形成し、ＴａのターゲットをＡｒでスパッタする。この場合、Ａ
ｒに適量のＸｅやＫｒを加えると、Ｔａ膜の内部応力を緩和して膜の剥離を防止すること
ができる。また、α相のＴａ膜の抵抗率は２０μΩcm程度でありゲート電極に使用するこ
とができるが、β相のＴａ膜の抵抗率は１８０μΩcm程度でありゲート電極とするには不
向きである。α相のＴａ膜を形成するために、Ｔａのα相に近い結晶構造をもつ窒化タン
タルを１０〜５０ｎｍ程度の厚さでＴａの下地に形成しておくとα相のＴａ膜を容易に得
ることができる。
【００６８】
Ｗ膜を形成する場合には、Ｗをターゲットとしたスパッタ法で形成する。その他に６フ
ッ化タングステン（ＷＦ6）を用いる熱ＣＶＤ法で形成することもできる。いずれにして
もゲート電極として使用するためには低抵抗化を図る必要があり、Ｗ膜の抵抗率は２０μ
Ωｃｍ以下にすることが望ましい。Ｗ膜は結晶粒を大きくすることで低抵抗率化を図るこ
とができるが、Ｗ中に酸素などの不純物元素が多い場合には結晶化が阻害され高抵抗化す
る。このことより、スパッタ法による場合、純度９９．９９９９％のＷターゲットを用い
、さらに成膜時に気相中からの不純物の混入がないように十分配慮してＷ膜を形成するこ
とにより、抵抗率９〜２０μΩｃｍを実現することができる。
【００６９】
なお、本実施例では、第１の導電膜４０８をＴａ、第２の導電膜４０９をＷとしたが、
いずれもＴａ、Ｗ、Ｔｉ、Ｍｏ、Ａｌ、Ｃｕから選ばれた元素、または前記元素を主成分
とする合金材料若しくは化合物材料で形成してもよい。また、リン等の不純物元素をドー
ピングした多結晶シリコン膜に代表される半導体膜を用いてもよい。本実施例以外の組み
合わせとしては、第１の導電膜を窒化タンタル（ＴａＮ）で形成し、第２の導電膜をＷと
する組み合わせ、第１の導電膜を窒化タンタル（ＴａＮ）で形成し、第２の導電膜をＡｌ
とする組み合わせ、第１の導電膜を窒化タンタル（ＴａＮ）で形成し、第２の導電膜をＣ
ｕとする組み合わせなどがある。
【００７０】
次に、レジストによるマスク４１０〜４１７を形成し、電極及び配線を形成するための
第１のエッチング処理を行う。本実施例ではＩＣＰ（Inductively Coupled Plasma：誘導
結合型プラズマ）エッチング法を用い、エッチング用ガスにＣＦ4とＣｌ2を混合し、１Pa
の圧力でコイル型の電極に５００WのＲＦ（13.56MHz）電力を投入してプラズマを生成し
て行う。基板側（試料ステージ）にも１００WのＲＦ（13.56MHz）電力を投入し、実質的
に負の自己バイアス電圧を印加する。ＣＦ4とＣｌ2を混合した場合にはＷ膜及びＴａ膜と
も同程度にエッチングされる。
【００７１】
上記エッチング条件では、レジストによるマスクの形状を適したものとすることにより
、基板側に印加するバイアス電圧の効果により第１の導電層及び第２の導電層の端部がテ
ーパー部の角度が１５〜４５°のテーパー形状となる。ゲート絶縁膜上に残渣を残すこと
なくエッチングするためには、１０〜２０％程度の割合でエッチング時間を増加させると
良い。Ｗ膜に対する酸化窒化シリコン膜の選択比は２〜４（代表的には３）であるので、
オーバーエッチング処理により、酸化窒化シリコン膜が露出した面は２０〜５０nm程度エ
ッチングされることになる。こうして、第１のエッチング処理により第１の導電層と第２
の導電層から成る第１の形状の導電層４１９〜４２６（第１の導電層４１９ａ〜４２６ａ
と第２の導電層４１９ｂ〜４２６ｂ）を形成する。４１８はゲート絶縁膜であり、第１の
形状の導電層４１９〜４２６で覆われない領域は２０〜５０nm程度エッチングされ薄くな
った領域が形成される。
【００７２】
そして、第１のドーピング処理を行い、ｎ型を付与する不純物元素を添加する。（図５
（Ｂ））ドーピングの方法はイオンドープ法若しくはイオン注入法で行えば良い。イオン
ドープ法の条件はドーズ量を１×１０13〜５×１０14atoms/cm2とし、加速電圧を６０〜
１００ｋｅＶとして行う。ｎ型を付与する不純物元素として１５族に属する元素、典型的
にはリン（Ｐ）または砒素（Ａｓ）を用いるが、ここではリン（Ｐ）を用いる。この場合
、導電層４１９〜４２３がｎ型を付与する不純物元素に対するマスクとなり、自己整合的
に第１の不純物領域４２７〜４３１が形成される。第１の不純物領域４２７〜４３１には
１×１０20〜１×１０21atomic/cm3の濃度範囲でｎ型を付与する不純物元素を添加する。
【００７３】
次に、図５（Ｃ）に示すように第２のエッチング処理を行う。同様にＩＣＰエッチング
法を用い、エッチングガスにＣＦ4とＣｌ2とＯ2を混合して、１Paの圧力でコイル型の電
極に５００ＷのＲＦ電力(13.56MHz)を供給し、プラズマを生成して行う。基板側（試料ス
テージ）には５０WのＲＦ（13.56MHz）電力を投入し、第１のエッチング処理に比べ低い
自己バイアス電圧を印加する。このような条件によりＷ膜を異方性エッチングし、かつ、
それより遅いエッチング速度で第１の導電層であるＴａを異方性エッチングして第２の形
状の導電層４３３〜４４０（第１の導電層４３３ａ〜４４０ａと第２の導電層４３３ｂ〜
４４０ｂ）を形成する。４３２はゲート絶縁膜であり、第２の形状の導電層４３３〜４３
７で覆われない領域はさらに２０〜５０nm程度エッチングされ薄くなった領域が形成され
る。
【００７４】
Ｗ膜やＴａ膜のＣＦ4とＣｌ2の混合ガスによるエッチング反応は、生成されるラジカル
またはイオン種と反応生成物の蒸気圧から推測することができる。ＷとＴａのフッ化物と
塩化物の蒸気圧を比較すると、Ｗのフッ化物であるＷＦ6が極端に高く、その他のＷＣｌ5
、ＴａＦ5、ＴａＣｌ5は同程度である。従って、ＣＦ4とＣｌ2の混合ガスではＷ膜及びＴ
ａ膜共にエッチングされる。しかし、この混合ガスに適量のＯ2を添加するとＣＦ4とＯ2
が反応してＣＯとＦになり、ＦラジカルまたはＦイオンが多量に発生する。その結果、フ
ッ化物の蒸気圧が高いＷ膜のエッチング速度が増大する。一方、ＴａはＦが増大しても相
対的にエッチング速度の増加は少ない。また、ＴａはＷに比較して酸化されやすいので、
Ｏ2を添加することでＴａの表面が酸化される。Ｔａの酸化物はフッ素や塩素と反応しな
いためさらにＴａ膜のエッチング速度は低下する。従って、Ｗ膜とＴａ膜とのエッチング
速度に差を作ることが可能となりＷ膜のエッチング速度をＴａ膜よりも大きくすることが
可能となる。
【００７５】
そして、図６（Ａ）に示すように第２のドーピング処理を行う。この場合、第１のドー
ピング処理よりもドーズ量を下げて高い加速電圧の条件としてｎ型を付与する不純物元素
をドーピングする。例えば、加速電圧を７０〜１２０ｋｅＶとし、１×１０13/cm2のドー
ズ量で行い、図５（Ｂ）で島状半導体層に形成された第１の不純物領域の内側に新な不純
物領域を形成する。ドーピングは、第２の形状の導電層４３３〜４３７を不純物元素に対
するマスクとして用い、第１の導電層４３３ａ〜４３７ａの下側の領域にも不純物元素が
添加されるようにドーピングする。こうして、第１の導電層４３３ａ〜４３７ａと重なる
第３の不純物領域４４１〜４４５と、第１の不純物領域と第３の不純物領域との間の第２
の不純物領域４４６〜４５０とを形成する。ｎ型を付与する不純物元素は、第２の不純物
領域で１×１０17〜１×１０19atoms/cm3の濃度となるようにし、第３の不純物領域で１
×１０16〜１×１０18atoms/cm3の濃度となるようにする。
【００７６】
そして、図６（Ｂ）に示すように、ｐチャネル型ＴＦＴを形成する島状半導体層４０３
に一導電型とは逆の導電型の第４の不純物領域４５４〜４５６を形成する。第２の形状の
導電層４３４を不純物元素に対するマスクとして用い、自己整合的に不純物領域を形成す
る。このとき、ｎチャネル型ＴＦＴを形成する島状半導体層４０２、４０４、４０５、４
０６はレジストマスク４５１〜４５３で全面を被覆しておく。不純物領域４５４〜４５６
にはそれぞれ異なる濃度でリンが添加されているが、ジボラン（Ｂ2Ｈ6）を用いたイオン
ドープ法により、そのいずれの領域においても不純物濃度を２×１０20〜２×１０21atom
s/cm3となるようにする。
【００７７】
以上の工程により、それぞれの島状半導体層に不純物領域が形成される。島状半導体層
と重なる導電層４３３〜４３６がＴＦＴのゲート電極として機能する。
また、４３９は信号線、４４０は走査線、４３７は容量配線、４３８は駆動回路内の配線
として機能する。
【００７８】
こうして導電型の制御を目的として図６（Ｃ）に示すように、それぞれの島状半導体層
に添加された不純物元素を活性化する工程を行う。この工程はファーネスアニール炉を用
いる熱アニール法で行う。その他に、レーザーアニール法、またはラピッドサーマルアニ
ール法（ＲＴＡ法）を適用することができる。熱アニール法では酸素濃度が１ｐｐｍ以下
、好ましくは０．１ｐｐｍ以下の窒素雰囲気中で４００〜７００℃、代表的には５００〜
６００℃で行うものであり、本実施例では５００℃で４時間の熱処理を行う。ただし、４
３３〜４４０に用いた配線材料が熱に弱い場合には、配線等を保護するため層間絶縁膜（
シリコンを主成分とする）を形成した後で活性化を行うことが好ましい。
【００７９】
さらに、３〜１００％の水素を含む雰囲気中で、３００〜４５０℃で１〜１２時間の熱
処理を行い、島状半導体層を水素化する工程を行う。この工程は熱的に励起された水素に
より半導体層のダングリングボンドを終端する工程である。水素化の他の手段として、プ
ラズマ水素化（プラズマにより励起された水素を用いる）を行っても良い。
【００８０】
次いで、第１の層間絶縁膜４５７は酸化窒化シリコン膜から１００〜２００ｎｍの厚さ
で形成する。その上に有機絶縁物材料から成る第２の層間絶縁膜４５８を形成する。次い
で、コンタクトホールを形成するためのエッチング工程を行う。
【００８１】
そして、駆動回路部において島状半導体層のソース領域とコンタクトを形成するソース
配線４５９〜４６１、ドレイン領域とコンタクトを形成するドレイン配線４６２〜４６４
を形成する。また、画素部においては、ソース配線４６５、遮光膜を兼ねたドレイン電極
４６６〜４６７と４６８を形成する。遮光膜を兼ねたドレイン電極４６８は隣接する画素
に形成されたものである（図７）。図７において、図１と同一の要素は括弧内に対応する
数字を示している。図７の鎖線Ａ−Ａ‘、Ｂ−Ｂ’は図１の上面図の切断線の鎖線Ａ−Ａ
‘、Ｂ−Ｂ’と対応している。
【００８２】
遮光膜を兼ねたドレイン電極４６６は画素ＴＦＴの活性層に相当する島状半導体層４６７
に、遮光膜を兼ねたドレイン電極４６７は保持容量５０５を形成する島状半導体層４３１
と電気的な接続が形成される。なお、遮光膜を兼ねたドレイン電極４６８は隣り合う画素
のものである。
【００８３】
その後、透明導電膜を全面に形成し、フォトマスクを用いたパターニング処理およびエ
ッチング処理により透明画素電極４６９〜４７１を形成する。透明画素電極４７０は、遮
光膜を兼ねたドレイン電極４６６に重なるように形成される。
また、画素ＴＦＴ５０４の遮光膜を兼ねたドレイン電極４６７と重なる部分を設け、保持
容量５０５の電極として機能する島状半導体膜４０６に電位が与えられる。
【００８４】
透明導電膜の材料は、酸化インジウム（Ｉｎ2Ｏ3）や酸化インジウム酸化スズ合金（Ｉ
ｎ2Ｏ3―ＳｎＯ2；ＩＴＯ膜）などをスパッタ法や真空蒸着法などを用いて形成して用い
ることができる。このような材料のエッチング処理は塩酸系の溶液により行う。しかし、
特にＩＴＯ膜のエッチングは残渣が発生しやすいので、エッチング加工性を改善するため
に酸化インジウム酸化亜鉛合金（Ｉｎ2Ｏ3―ＺｎＯ）を用いても良い。酸化インジウム酸
化亜鉛合金は表面平滑性に優れ、ＩＴＯ膜に対して熱安定性にも優れているので、容量電
極を兼ねたドレイン電極４６６〜４６８にＡｌを用いても、表面で接触するＡｌとの腐蝕
反応を防止できる。同様に、酸化亜鉛（ＺｎＯ）も適した材料であり、さらに可視光の透
過率や導電率を高めるためにガリウム（Ｇａ）を添加した酸化亜鉛（ＺｎＯ：Ｇａ）など
を用いることができる。
【００８５】
以上のようにして、ｎチャネル型ＴＦＴ５０１、ｐチャネル型ＴＦＴ５０２、ｎチャネ
ル型ＴＦＴ５０３を有する駆動回路部と、画素ＴＦＴ５０４、保持容量５０５とを有する
画素部を同一基板上に形成することができる。本明細書中ではこのような基板を便宜上ア
クティブマトリクス基板と呼ぶ。
【００８６】
駆動回路部のｎチャネル型ＴＦＴ５０１はチャネル形成領域４６８、ゲート電極を形成
する導電層４３３と重なる第３の不純物領域４４１（ＧＯＬＤ領域）、ゲート電極の外側
に形成される第２の不純物領域４４６（ＬＤＤ領域）とソース領域またはドレイン領域と
して機能する第１の不純物領域４２７を有している。
ｐチャネル型ＴＦＴ５０２にはチャネル形成領域４６９、ゲート電極を形成する導電層４
３４と重なる第４の不純物領域４５６、ゲート電極の外側に形成される第４の不純物領域
４５５、ソース領域またはドレイン領域として機能する第４の不純物領域４５４を有して
いる。ｎチャネル型ＴＦＴ５０３にはチャネル形成領域４７０、ゲート電極を形成する導
電層４３５と重なる第３の不純物領域４４３（ＧＯＬＤ領域）、ゲート電極の外側に形成
される第２の不純物領域４４８（ＬＤＤ領域）とソース領域またはドレイン領域として機
能する第１の不純物領域４２９を有している。
【００８７】
画素部の画素ＴＦＴ５０４にはチャネル形成領域４７１、ゲート電極を形成する導電層
４３６と重なる第３の不純物領域４４４（ＧＯＬＤ領域）、ゲート電極の外側に形成され
る第２の不純物領域４４９（ＬＤＤ領域）とソース領域またはドレイン領域として機能す
る第１の不純物領域４３０を有している。また、保持容量５０５の一方の電極として機能
する半導体層４３１には第１の不純物領域と同じ濃度で、半導体層４４５には第３の不純
物領域と同じ濃度で、半導体層４５０には第２の不純物領域と同じ濃度で、それぞれｎ型
を付与する不純物元素が添加されており、容量配線４３７とその間の絶縁層（ゲート絶縁
膜と同じ層）とで保持容量を形成している。
【００８８】
本実施例は、ブラックマトリクスを用いることなく、画素電極間の隙間を遮光すること
ができるように、画素電極の端部をゲート線や遮光膜を兼ねた容量電極と重なるように配
置されている。さらに画素電極に接して遮光性の電極を形成している。
【００８９】
また、本実施例で示す工程に従えば、アクティブマトリクス基板の作製に必要なフォト
マスクの数を６枚（島状半導体層パターン、第１配線パターン（ソース線、ゲート配線、
遮光膜を兼ねた容量電極、遮光膜）、第２配線パターン（ソース配線、ドレイン電極、遮
光膜）、コンタクトホールパターン、透明画素電極パターン、ｎチャネル領域のマスクパ
ターン）とすることができる。その結果、工程を短縮し、製造コストの低減及び歩留まり
の向上に寄与することができる。
【実施例３】
【００９０】
本実施例では、実施例２で作製したアクティブマトリクス基板から、アクティブマトリ
クス型液晶表示装置を作製する工程を以下に説明する。説明には図８を用いる。図８の鎖
線Ａ−Ａ‘と鎖線Ｂ−Ｂ’は、図１の上面図を鎖線Ａ−Ａ‘と鎖線Ｂ−Ｂ’で切断した断
面に対応している。
【００９１】
まず、実施例２に従い、図７の状態のアクティブマトリクス基板を得た後、図８のアク
ティブマトリクス基板上に、感光性樹脂によりスペーサ５１５を形成する。
【００９２】
スペーサの配置は任意に決定すれば良いが、例えば図８で示すように遮光膜を兼ねたド
レイン電極（４６６）上に位置が合うように対向基板に配置すると良い。また、駆動回路
部のＴＦＴ上にその位置を合わせてスペーサを対向基板上に配置してもよい。このスペー
サは駆動回路部の全面に渡って配置しても良いし、ソース配線およびドレイン配線を覆う
ようにして配置しても良い。
【００９３】
スペーサ５１５形成後に、配向膜５０６を形成しラビング処理を行う。
【００９４】
一方、対向基板５０７を用意する。対向基板５０７には遮光膜を形成する。実施例１の
図１〜２の基板を用いた場合、少なくとも図２の透光領域１２３〜１２６を遮光する必要
があるため、遮光領域１２３〜１２６に対し、１〜１．５μｍ広めに遮光膜を形成する。
【００９５】
さらに、カラーフィルタ層５０８、５０９、オーバーコート層５１０を形成する。三原色
のカラーフィルタ層のうち、二色が図示されている。各色のカラーフィルタ層はアクリル
樹脂に顔料を混合したもので１〜３μmの厚さで形成する。これは感光性材料を用い、マ
スクを用いて所定のパターンに形成することができる。オーバーコート層５１０は光硬化
型または熱硬化型の有機樹脂材料で形成し、例えば、ポリイミドやアクリル樹脂などを用
いる。
【００９６】
オーバーコート層５１０を形成した後、対向電極５１２をパターニングにより形成し、
配向膜５１３を形成した後ラビング処理を行う。
【００９７】
そして、画素部と駆動回路部が形成されたアクティブマトリクス基板と対向基板とをシ
ール剤５１３で貼り合わせる。アクティブマトリクス基板と対向基板のラビング方向が互
いに直交するように貼り合わせることで液晶の配向がＴＮ方式となる。シール剤５１３に
はフィラーが混入されていて、このフィラーとスペーサ５１５によって均一な間隔を持っ
て２枚の基板が貼り合わせられる。その後、両基板の間に液晶５１４を注入し、封止剤（
図示せず）によって完全に封止する。液晶５１４には公知の液晶材料を用いれば良い。こ
のようにして図８に示すアクティブマトリクス型液晶表示装置が完成する。
【００９８】
なお、上記の行程により作成されるＴＦＴはトップゲート構造であるが、ボトムゲート
構造のＴＦＴやその他の構造のＴＦＴに対しても本発明は適用され得る。
【００９９】
また、液晶材料の代わりにエレクトロルミネッセンス（ＥＬ：Electro Luminescence）
材料を用いた自発光型の画像表示装置であるＥＬ表示装置に対しても本発明は適用され得
る。
【実施例４】
【０１００】
本発明の一例を図９の画素ＴＦＴの上面図を用いて説明する。実施例１の画素部のレイア
ウトに比べて、透明画素電極３１６をソース配線３０２の上方にオーバーラップさせるこ
とができるため、開口率が高くできる。
【０１０１】
実施例４は直視型の透過型の液晶表示装置である。赤色、青色、緑色のカラーフィルタ
が形成されている。比視感度が高い緑色のカラーフィルタが形成された画素では、ディス
クリネーションによる光漏れが赤色、青色の画素に比べはっきりと見えてしまう。このた
め、画素の比視感度に応じて、遮光領域の面積を変えている。
【０１０２】
実施例１では容量電極を遮光膜としていたため、遮光領域の面積は各画素において、同一
にしなければならなかった。実施例４においては、透明画素電極に直接に接するドレイン
電極を遮光膜とするため、画素の表示色に応じて遮光領域の面積を変えることができる。
【０１０３】
実施例１と同様に、たった二枚の金属膜の配線パターンのマスクで、ディスクリネーショ
ンを効率的に隠すレイアウトとする。
【０１０４】
ラビング方向は左右対称の視野角特性を得るために、基板の一辺に対し４５°の角度とす
る。配向はＴＮ方式である。ラビング方向とディスクリネーションの関係から遮光領域を
設定する。ラビング方向と遮光領域の関係を図１０に示す。
【０１０５】
素子基板は、図９に示すように、行方向に配置されたゲート配線３１１と、列方向に配
置されたソース配線３０２と、ゲート配線とソース配線の交差部近傍の画素ＴＦＴを有す
る画素部と、ｎチャネル型ＴＦＴやｐチャネル型ＴＦＴを有する駆動回路とを含む。
【０１０６】
ただし、図９におけるゲート配線は、行方向に配置されたゲート電極３０３と接続した
ものを指している。また、ゲート配線３１１は第二の層間絶縁膜上に接して設けられたも
のである。
【０１０７】
第一の半導体層３００と第二の半導体層３０１がパターニングされている。第一の半導体
層３００はＴＦＴ素子の活性層である。第二の半導体層３０１は後述する保持容量の容量
電極として機能する。
【０１０８】
ゲート絶縁膜（図示しない）に接するように、ソース配線３０２とゲート電極３０３を形
成する。
【０１０９】
第一の層間絶縁膜と第二の層間絶縁膜（図示しない）を形成した後、第一の半導体層３０
０、第二の半導体層３０１、ソース配線３０２に達するコンタクトホール３０４〜３０８
、３１７を開ける。次にパターニングにより、接続電極３０９、ドレイン電極３１０、ゲ
ート配線３１１、容量接続電極３１２、遮光膜を兼ねたドレイン電極３１３〜３１４、青
表示の画素の遮光膜３１５を形成する。
【０１１０】
コンタクトホール３０４とコンタクトホール３０５により、接続電極３０９を介して、
第一の半導体層３００とソース配線３０２が電気的に接続する。
【０１１１】
コンタクトホール３０６により、第一の半導体層３００と遮光膜を兼ねたドレイン電極３
１３〜３１４が電気的に接続する。コンタクトホール３１７とドレイン電極３１３〜３１
４が電気的に接続する。
【０１１２】
コンタクトホール３０７により、第二の半導体層３０１と容量接続電極３１２が電気的に
接続する。
【０１１３】
コンタクトホール３０８により、ゲート電極３０３とゲート配線３１１が電気的に接続す
る。
【０１１４】
さらに、絶縁膜を介さずに、透明画素電極３１６をドレイン電極３１０、容量接側電極３
１２、遮光膜を兼ねたドレイン電極３１３〜３１４、青表示の画素の遮光膜３１５に重な
り合うように形成する。
【０１１５】
これにより、容量接続電極３１２は透明画素電極３１５と電気的に接続して、保持容量の
電極として機能する第二の半導体層３０１に電位を与える。ゲート電極３０３と島状の半
導体層３０１により保持容量ができる。ゲート絶縁膜が保持容量の絶縁膜として機能する
。
【０１１６】
ゲート配線３１１、接続電極３０９、ドレイン電極３１０、遮光膜を兼ねたドレイン電
極３１３〜３１４により、ＴＦＴ素子の活性層である第一の半導体層３００を外光から保
護する。光による素子の劣化、光電流による電位の変動を防止できる。
【０１１７】
ドレイン電極３１０、遮光膜を兼ねたドレイン電極３１３〜３１４は第一の層間絶縁膜
と第二の層間絶縁膜を間に挟んで、ソース配線３０２の上方に形成されている。これによ
り、素子基板の先にラビングされる側にできるディスクリネーションを隠すことができる
。
【０１１８】
さらに、本実施例においては各画素の表示色に応じて、遮光膜を兼ねたドレイン電極３
１３〜３１４の面積を変えている。
【０１１９】
緑色（波長５５５ｎｍ）の比視感度を１とすると、赤色（波長６５０ｎｍ）の比視感度は
０．１１、青色（波長４５０ｎｍ）の比視感度は０．０４である。単一波長で比較して、
青色に対し赤は約３倍、緑は約２５倍の明るさで見える。比視感度の波長依存性を図２４
に示す。
【０１２０】
つまり、比視感度の高い緑色を表示する画素については光漏れが目立ちやすいのでコント
ラストを優先して、確実にディスクリネーションを遮光できるように、遮光膜を兼ねたド
レイン電極３１３の面積を広くする。赤色を表示する画素については遮光膜を兼ねた遮光
電極３１４を狭い幅で設ける。青色については明るさを優先してのため青表示の画素の遮
光膜３１５を一部のみ形成する。
【０１２１】
本実施例では比視感度のみを考慮して各色の遮光電極の面積を決定したが、比視感度とカ
ラーフィルタの透過率の両方を考慮して遮光電極の面積を決めても良い。比視感度と光源
の波長分布の両方を考慮して遮光電極の面積を決めても良い。
【０１２２】
以上の画素のレイアウトにより、たった二枚の配線パターンのマスクにより、液晶のデ
ィスクリネーションによる光漏れを効率良く隠すことができる。
【０１２３】
図１０に素子基板の遮光領域３１８を示す。たった二枚の配線パターンのマスクで遮光す
るため、光が通る領域はあるが、ディスクリネーションの出る領域のエッジが隠れている
ため、対向基板の遮光膜のアライメントが多少ずれても、光漏れが隠せる。また、対向基
板の遮光膜を広めにとっても、素子基板の遮光領域に比べ、遮光領域の面積が小さいため
、アライメントがずれても、対向基板の遮光領域が素子基板の遮光領域に重なり合い、開
口率は低下しない。
【０１２４】
ディスクリネーションによる光漏れが目立たないようにし、かつ、明るさを損なわない
ようにするため、比視感度に応じて、赤表示の画素３２８の開口率と、緑表示の画素３２
９の開口率と、青表示の画素３３０の開口率が変わる。
【０１２５】
図９の素子基板の断面図を図１１に示す。図１１（Ａ）の鎖線Ｅ−Ｅ‘、鎖線Ｆ−Ｆ’、
鎖線Ｇ−Ｇ‘は、図９を鎖線Ｅ−Ｅ‘、鎖線Ｆ−Ｆ’、鎖線Ｇ−Ｇ‘で切断したものを示
す。図１１は実施例２の図６（Ｃ）で示される基板に対し、以下の工程を追加し、作製し
たものである。図１１（Ａ）により説明する。
【０１２６】
まず、第１の層間絶縁膜３２３を酸化窒化シリコン膜で１００〜２００ｎｍの厚さで形成
する。その上に有機絶縁物材料から成る第２の層間絶縁膜３２４を形成する。次いで、コ
ンタクトホールを形成するためのエッチング工程を行う。
【０１２７】
そして、駆動回路部において島状半導体層のソース領域とコンタクトを形成するソース
配線３２８〜３３０、ドレイン領域とコンタクトを形成するドレイン配線３３１〜３３３
を形成する。
【０１２８】
また、画素部においては、接続電極３０９、ドレイン電極３１０、ゲート配線３１１、容
量接続電極３１２、遮光膜を兼ねたドレイン電極３１３〜３１４を形成する。膜厚は０．
３μｍ〜０．７５μｍが望ましい。
【０１２９】
接続電極３０９は、ソース配線３０２と第一の半導体層３００と電気的に接続する。図
示してはいないが、ゲート配線３１１はゲート電極３０３とコンタクトホールにより電気
的に接続する。容量接続電極３１２は第二の半導体層３０１と電気的に接続する。
【０１３０】
その後、透明導電膜を全面に形成し、フォトマスクを用いたパターニング処理およびエ
ッチング処理により透明画素電極３１６を形成する。膜厚は１００ｎｍ〜１４００ｎｍが
望ましい。透明画素電極３１６は、画素ＴＦＴ３２１のドレイン電極３１０に重なるよう
に形成される。透明画素電極３１６により保持容量３２２の電極として機能する島状半導
体膜３０１に電位が与えられる。
【０１３１】
透明導電膜の材料は、酸化インジウム（Ｉｎ2Ｏ3）や酸化インジウム酸化スズ合金（Ｉ
ｎ2Ｏ3―ＳｎＯ2；ＩＴＯ膜）などをスパッタ法や真空蒸着法などを用いて形成して用い
ることができる。このような材料のエッチング処理は塩酸系の溶液により行う。しかし、
特にＩＴＯ膜のエッチングは残渣が発生しやすいので、エッチング加工性を改善するため
に酸化インジウム酸化亜鉛合金（Ｉｎ2Ｏ3―ＺｎＯ）を用いても良い。酸化インジウム酸
化亜鉛合金は表面平滑性に優れ、ＩＴＯ膜に対して熱安定性にも優れているので、ドレイ
ン電極３１６にＡｌを用いても、表面で接触するＡｌとの腐蝕反応を防止できる。同様に
、酸化亜鉛（ＺｎＯ）も適した材料であり、さらに可視光の透過率や導電率を高めるため
にガリウム（Ｇａ）を添加した酸化亜鉛（ＺｎＯ：Ｇａ）などを用いることができる。
【０１３２】
また、図１１（Ｂ）により説明すると、本実施例において、遮光膜を兼ねたドレイン電極
３１３〜３１４の面積を画素の表示色に応じて変えている点が特徴である。ソース配線３
２５〜３２７付近にできるディスクリネーションによる光漏れを隠すために、表示色の比
視感度が高い緑においては、広い面積の遮光膜を兼ねたドレイン電極３１３を用いる。表
示色の比視感度が緑に比べ低い赤においては、やや狭い面積の遮光膜を兼ねたドレイン電
極３１４を用いる。青表示の画素においては、開口率を優先し、強く光漏れが認識される
部分のみに遮光膜を形成する。
【０１３３】
以上のようにして、ｎチャネル型ＴＦＴ、ｐチャネル型ＴＦＴ、ｎチャネル型ＴＦＴを
有する駆動回路部と、画素ＴＦＴ３２１、保持容量３２２とを有する画素部を同一基板上
に形成することができる。本明細書中ではこのような基板を便宜上アクティブマトリクス
基板と呼ぶ。
【０１３４】
低温ポリシリコンをＴＦＴ素子の活性層に用いると、駆動回路ＴＦＴと画素ＴＦＴを１
枚の基板に作製できる。このとき、ＣＭＯＳの駆動回路を作製するためにはｎチャネル型
ＴＦＴとｐチャネル型ＴＦＴが必要である。
【０１３５】
実施例２と本実施例の素子基板の作製工程によると、図９〜１１に示す画素構造を有する
画素部と、駆動回路とを有する素子基板を形成するために必要なマスク数は６枚でよい。
【０１３６】
即ち、１枚目が、第１の半導体層３００及び第２の半導体層３０１をパターニングするマ
スク、２枚目が、ソース配線３０２及びゲート電極３０３をパターニングするマスク、３
枚目がｐ型を付与する不純物のドーピングマスク、４枚目が第１の半導体層３００と第２
の半導体層３０１とソース配線３０２とゲート電極３０３とにそれぞれ達するコンタクト
ホールを形成するマスク、５枚目は、接続電極３０９、ドレイン電極３１０、ゲート配線
３１１、容量接続電極３１２、遮光膜を兼ねたドレイン電極３１３〜３１４、遮光膜３１
５をパターニングするマスク、６枚目は透明画素電極３１６をパターニングするためのマ
スクである。
【０１３７】
以上のように、図９〜１１に示す画素構造とした場合、遮光膜を形成するために素子基
板のマスク数を増加させることなく、コントラストの良い透過型の液晶表示装置を実現す
ることができる。対向基板には遮光膜を補助的に形成すればよいので、貼り合わせの位置
ずれによる光漏れ、開口率の低下はそれほど起こらない。
【０１３８】
さらに、実施例１に比べ画素電極をソース配線に重なり合うように形成できるため、開口
率が高くできる。かつ、表示色の比視感度に応じて遮光領域を決定するため、開口率の低
下を抑えて、コントラストを確保できる。
【実施例５】
【０１３９】
実施例５は本発明の別形態を示す。投射型の透過型の液晶表示装置に本発明を適用した
例を示す。
【０１４０】
実施例４と同様に、ソース配線に透明画素電極が重なり合うため、実施例１に比べ、開
口率が高くなる。
【０１４１】
ラビング方向は投射型の装置の光学系の光軸合わせを容易にするために、基板の一辺に対
し４５°の角度とする。このため、４５°方向にラビングしたときに出るディスクリネー
ションに合わせて遮光領域を設定した。
【０１４２】
素子基板は、図１２及び図１３に示すように、行方向に配置されたゲート配線２１１と
、列方向に配置された遮光膜を兼ねたソース配線２０２と、ゲート配線とソース配線の交
差部近傍の画素ＴＦＴを有する画素部と、ｎチャネル型ＴＦＴやｐチャネル型ＴＦＴを有
する駆動回路とを含む。
【０１４３】
ただし、図１２及び図１３におけるゲート配線は、行方向に配置された遮光膜を兼ねた
ゲート電極２０３と接続したものを指している。また、ゲート配線は第二の層間絶縁膜上
に接して設けられたものである。
【０１４４】
第一の半導体層２００と第二の半導体層２０１がパターニングされている。第一の半導体
層２００はＴＦＴ素子の活性層である。第二の半導体層２０１は後述する保持容量の容量
電極として機能する。
【０１４５】
ゲート絶縁膜（図示しない）に接するように、遮光膜を兼ねたソース配線２０２と遮光膜
を兼ねたゲート電極２０３を形成する。液晶のディスクリネーションは後述する透明画素
電極２１４のエッジ付近と、透明画素電極２１４の四隅のうち素子基板の先にラビングさ
れる側に強く出る傾向がある。このため遮光膜を兼ねたソース配線２０２と遮光膜を兼ね
たゲート電極２０３が透明画素電極のエッジを覆い、かつ、透明画素電極の四隅のうちデ
ィスクリネーションのでやすい場所を遮光できるような形状にする。
【０１４６】
第一の層間絶縁膜と第二の層間絶縁膜（図示しない）を形成した後、コンタクトホール２
０４〜２０８を開けて、接続電極２０９、ドレイン電極２１０、ゲート配線２１１、容量
接続電極２１２、遮光電極２１３を形成する。
【０１４７】
コンタクトホール２０４とコンタクトホール２０５により、接続電極２０９を介して、
第一の半導体層２００とソース配線２０２が電気的に接続する。
【０１４８】
コンタクトホール２０６により、第一の半導体層２００とドレイン電極２１０が電気的に
接続する。
【０１４９】
コンタクトホール２０７により、第二の半導体層２０１と容量接続電極２１２が電気的に
接続する。
【０１５０】
コンタクトホール２０８により、遮光膜を兼ねたゲート電極２０３とゲート配線２１１が
電気的に接続する。
【０１５１】
さらに、絶縁膜を介さずに、透明画素電極２１４を、遮光電極２１３、容量接続電極２１
２、ドレイン電極１２０に重なり合うように形成する。
【０１５２】
これにより、容量接続電極２１２は透明画素電極２１４と電気的に接続して、保持容量の
電極として機能する第二の半導体層２０１に電位を与える。遮光膜を兼ねたゲート電極２
０３と第二のの半導体層２０１により保持容量ができる。ゲート絶縁膜が保持容量の絶縁
膜として機能する。
【０１５３】
ゲート配線２１１、接続電極２０９、ドレイン電極２１０により、ＴＦＴ素子の活性層
である第一の半導体層２００を外光から保護する。光による素子の劣化、光電流による電
位の変動を防止できる。
【０１５４】
遮光膜を兼ねたソース配線２０２、遮光膜を兼ねたゲート電極２０３の形状に特徴を持た
せ、透明画素電極２１４の四隅のうち先にラビングされる側で強く出る光漏れを確実に隠
すことができる。視認性に大きく影響するディスクリネーションを隠す。つまり、遮光膜
を兼ねたソース配線２０２を列方向に伸びる配線形状に加えて、三角状の突起形状にして
、ディスクリネーションが出る位置を遮光する。また、遮光膜を兼ねたゲート電極２０３
の一部を三角状にして、ディスクリネーションを遮光する。また、遮光膜を兼ねたゲート
電極２０３の一部をゲート配線２１１と、透明画素電極２１４の間隙に形成して、ディス
クリネーションによる光漏れを遮光する。
【０１５５】
ソース配線２０２とゲート電極２０３は同一層に形成されているため、ショートを防ぐ
間隙がある。この間隙はソースライン反転駆動により、強くディスクリネーションが出る
領域である。このため、絶縁膜を介して遮光電極２１３を形成する。
【０１５６】
以上の画素のレイアウトにより、たった二枚の配線パターンのマスクにより、液晶のデ
ィスクリネーションによる光漏れを効率良く隠すことができる。
【０１５７】
図１４に図１２の素子基板の遮光領域２１５を示す。たった二枚の配線パターンのマスク
で遮光するため、光が通る領域はあるが、ディスクリネーションの出る領域のエッジが隠
れているため、対向基板の遮光膜のアライメントが多少ずれても、光漏れが隠せる。また
、対向基板の遮光膜を広めにとっても、素子基板の遮光領域の内側に対向基板の遮光領域
が存在するため、アライメントがずれても、対向基板の遮光領域が素子基板の遮光領域に
重なり合い、開口率の低下を防げる。
【０１５８】
図１２及び図１３の素子基板の断面図を図１５に示す。図１５の鎖線Ｈ−Ｈ‘、鎖線Ｉ−
Ｉ’、鎖線Ｊ−Ｊ’は、図１２及び図１３を鎖線Ｈ−Ｈ‘、鎖線Ｉ−Ｉ’、鎖線Ｊ−Ｊ’
で切断したものを示す。図１５は実施例２の図６（Ｃ）で示される基板に対し、以下の工
程を追加し、作製したものである。図１５（Ａ）により説明する。
【０１５９】
まず、第１の層間絶縁膜２１５を酸化窒化シリコン膜で１００〜２００ｎｍの厚さで形成
する。その上に有機絶縁物材料から成る第２の層間絶縁膜２１６を形成する。次いで、コ
ンタクトホールを形成するためのエッチング工程を行う。
【０１６０】
そして、駆動回路部において島状半導体層のソース領域とコンタクトを形成するソース
配線２１７〜２１９、ドレイン領域とコンタクトを形成するドレイン配線２２０〜２２２
を形成する。
【０１６１】
また、画素部においては、接続電極２０９、ドレイン電極２１０、ゲート配線２１１、容
量接続電極２１２を形成する。膜厚は０．３μｍ〜０．７５μｍが望ましい。
【０１６２】
接続電極２０９は、遮光膜を兼ねたソース配線２０２と第一の半導体層２００と電気的
に接続する。図示してはいないが、ゲート配線２１１は遮光膜を兼ねたゲート電極２０３
とコンタクトホールにより電気的に接続する。容量接続電極２１２は第二の半導体層２０
１と電気的に接続する。
【０１６３】
その後、透明導電膜を全面に形成し、フォトマスクを用いたパターニング処理およびエ
ッチング処理により透明画素電極２１４を形成する。膜厚は１００ｎｍ〜１４００ｎｍが
望ましい。透明画素電極２１４は、画素ＴＦＴ２２２のドレイン電極２１０に重なるよう
に形成される。また、保持容量２２３の電極として機能する島状半導体膜２０１に電位が
与えられる。
【０１６４】
透明導電膜の材料は、酸化インジウム（Ｉｎ2Ｏ3）や酸化インジウム酸化スズ合金（Ｉ
ｎ2Ｏ3―ＳｎＯ2；ＩＴＯ膜）などをスパッタ法や真空蒸着法などを用いて形成して用い
ることができる。このような材料のエッチング処理は塩酸系の溶液により行う。しかし、
特にＩＴＯ膜のエッチングは残渣が発生しやすいので、エッチング加工性を改善するため
に酸化インジウム酸化亜鉛合金（Ｉｎ2Ｏ3―ＺｎＯ）を用いても良い。酸化インジウム酸
化亜鉛合金は表面平滑性に優れ、ＩＴＯ膜に対して熱安定性にも優れているので、ドレイ
ン電極２１０にＡｌを用いても、表面で接触するＡｌとの腐蝕反応を防止できる。同様に
、酸化亜鉛（ＺｎＯ）も適した材料であり、さらに可視光の透過率や導電率を高めるため
にガリウム（Ｇａ）を添加した酸化亜鉛（ＺｎＯ：Ｇａ）などを用いることができる。
【０１６５】
また、図１５（Ｂ）により説明すると、本実施例において、ゲート電極２０３を、ゲート
配線２１１と透明画素電極２１４の間隙に形成し、ゲート電極２０３をディスクリネーシ
ョンによる光漏れを遮光する膜としている。第一の層間絶縁膜２１５と第二の層間絶縁膜
２１６が、透明画素電極２１４とゲート電極２０３の間にある。
【０１６６】
以上のようにして、ｎチャネル型ＴＦＴ、ｐチャネル型ＴＦＴ、ｎチャネル型ＴＦＴを
有する駆動回路部と、画素ＴＦＴ２２２、保持容量２２３とを有する画素部を同一基板上
に形成することができる。本明細書中ではこのような基板を便宜上アクティブマトリクス
基板と呼ぶ。
【０１６７】
低温ポリシリコンをＴＦＴ素子の活性層に用いると、駆動回路ＴＦＴと画素ＴＦＴを１
枚の基板に作製できる。このとき、ＣＭＯＳの駆動回路を作製するためにはｎチャネル型
ＴＦＴとｐチャネル型ＴＦＴが必要である。
【０１６８】
実施例２と本実施例の素子基板の作製工程によると、図１２〜１５に示す画素構造を有す
る画素部と、駆動回路とを有する素子基板を形成するために必要なマスク数は６枚でよい
。さらに、実施例１に比べ画素電極をソース配線に重なり合うように形成できるため、開
口率が高くできる。
【０１６９】
即ち、１枚目が、第１の半導体層２００及び第２の半導体層２０１をパターニングするマ
スク、２枚目が、遮光膜を兼ねたソース配線２０２及び遮光膜を兼ねたゲート電極２０３
をパターニングするマスク、３枚目がｐ型を付与する不純物のドーピングマスク、４枚目
がコンタクトホールを形成するマスク、５枚目は接続電極２０９、ドレイン電極２１０、
ゲート配線２１１、容量接続電極２１２、遮光電極２１３をパターニングするマスク、６
枚目は透明画素電極２１４をパターニングするためのマスクである。
【０１７０】
以上のように、図１２〜１５に示す画素構造とした場合、遮光膜を形成するために素子
基板のマスク数を増加させることなく、コントラストの良い透過型の液晶表示装置を実現
することができる。対向基板には遮光膜を補助的に形成すればよいので、貼り合わせの位
置ずれによる光漏れ、開口率の低下を防げる。
【実施例６】
【０１７１】
本実施例では、実施例２で示したアクティブマトリクス基板のＴＦＴの半導体層を形成
する結晶質半導体層の他の作製方法について示す。本実施例では特開平７−１３０６５２
号公報で開示されている触媒元素を用いる結晶化法を適用することもできる。以下に、そ
の場合の例を説明する。
【０１７２】
実施例２と同様にして、ガラス基板上に下地膜、非晶質半導体層を２５〜８０nmの厚さ
で形成する。例えば、非晶質シリコン膜を５５nmの厚さで形成する。そして、重量換算で
１０ｐｐｍの触媒元素を含む水溶液をスピンコート法で塗布して触媒元素を含有する層を
形成する。触媒元素にはニッケル（Ｎｉ）、ゲルマニウム（Ｇｅ）、鉄（Ｆｅ）、パラジ
ウム（Ｐｄ）、スズ（Ｓｎ）、鉛（Ｐｂ）、コバルト（Ｃｏ）、白金（Ｐｔ）、銅（Ｃｕ
）、金（Ａｕ）などである。この触媒元素を含有する層１７０は、スピンコート法の他に
スパッタ法や真空蒸着法によって上記触媒元素の層を１〜５nmの厚さに形成しても良い。
【０１７３】
そして、結晶化の工程では、まず４００〜５００℃で１時間程度の熱処理を行い、非晶
質シリコン膜の含有水素量を５atom％以下にする。そして、ファーネスアニール炉を用い
、窒素雰囲気中で５５０〜６００℃で１〜８時間の熱アニールを行う。以上の工程により
結晶質シリコン膜から成る結晶質半導体層を得ることができる。
【０１７４】
このうようにして作製された結晶質半導体層から島状半導体層を作製すれば、実施例２
と同様にしてアクティブマトリクス基板を完成させることができる。しかし、結晶化の工
程においてシリコンの結晶化を助長する触媒元素を使用した場合、島状半導体層中には微
量（１×１０17〜１×１０19atoms/cm3程度）の触媒元素が残留する。勿論、そのような
状態でもＴＦＴを完成させることが可能であるが、残留する触媒元素を少なくともチャネ
ル形成領域から除去する方がより好ましかった。この触媒元素を除去する手段の一つにリ
ン（Ｐ）によるゲッタリング作用を利用する手段がある。
【０１７５】
この目的におけるリン（Ｐ）によるゲッタリング処理は、図６（Ｃ）で説明した活性化
工程で同時に行うことができる。ゲッタリングに必要なリン（Ｐ）の濃度は高濃度ｎ型不
純物領域の不純物濃度と同程度でよく、活性化工程の熱アニールにより、ｎチャネル型Ｔ
ＦＴおよびｐチャネル型ＴＦＴのチャネル形成領域から触媒元素をその濃度でリン（Ｐ）
を含有する不純物領域へ偏析させることができる。その結果その不純物領域には１×１０
17〜１×１０19atoms/cm3程度の触媒元素が偏析した。このようにして作製したＴＦＴは
オフ電流値が下がり、結晶性が良いことから高い電界効果移動度が得られ、良好な特性を
達成することができる。
【０１７６】
なお、本実施例は、実施例１乃至５のいずれか一と自由に組み合わせることが可能であ
る。
【実施例７】
【０１７７】
本発明を実施して形成されたＣＭＯＳ回路や画素部は様々な半導体装置（アクティブマ
トリクス型液晶ディスプレイ、アクティブマトリクス型ＥＣディスプレイ）に用いること
ができる。即ち、それら半導体装置を表示部に組み込んだ電子機器全てに本願発明を実施
できる。以下の装置にセンサーを組み込み、消費電力低減のため、外部の明るさを検出し
て、暗いところでは、輝度を落とすようにしても良い。
【０１７８】
図１８（Ａ）は携帯電話であり、本体９００１、音声出力部９００２、音声入力部９０
０３、表示装置９００４、操作スイッチ９００５、アンテナ９００６から構成されている
。本願発明は音声出力部９００２、音声入力部９００３、及びアクティブマトリクス基板
を備えた表示装置９００４に適用することができる。
【０１７９】
図１８（Ｂ）はビデオカメラであり、本体９１０１、表示装置９１０２、音声入力部９
１０３、操作スイッチ９１０４、バッテリー９１０５、受像部９１０６から成っている。
本願発明は音声入力部９１０３、及びアクティブマトリクス基板を備えた表示装置９１０
２、受像部９１０６に適用することができる。
【０１８０】
図１８（Ｃ）はモバイルコンピュータ或いは携帯型情報端末であり、本体９２０１、カ
メラ部９２０２、受像部９２０３、操作スイッチ９２０４、表示装置９２０５で構成され
ている。本願発明は受像部９２０３、及びアクティブマトリクス基板を備えた表示装置９
２０５に適用することができる。
【０１８１】
図１８（Ｄ）はヘッドマウントディスプレイであり、本体９３０１、表示装置９３０２
、アーム部９３０３で構成される。本願発明は表示装置９３０２に適用することができる
。また、表示されていないが、その他の信号制御用回路に使用することもできる。
【０１８２】
図１８（Ｅ）はテレビであり、本体９４０１、スピーカー９４０２、表示装置９４０３
、受信装置９４０４、増幅装置９４０５等で構成される。実施例５で示す液晶表示装置や
、実施例６または７で示すＥＬ表示装置は表示装置９４０３に適用することができる。
【０１８３】
図１８（Ｆ）は携帯書籍であり、本体９５０１、表示装置９５０２、９５０３、記憶媒
体９５０４、操作スイッチ９５０５、アンテナ９５０６から構成されており、ミニディス
ク（ＭＤ）やＤＶＤに記憶されたデータや、アンテナで受信したデータを表示するもので
ある。表示装置９５０２、９５０３は直視型の表示装置であり、本発明はこの適用するこ
とができる。
【０１８４】
図１８（Ａ）はパーソナルコンピュータであり、本体９６０１、画像入力部９６０２、
表示装置９６０３、キーボード９６０４で構成される。
【０１８５】
図１８（Ｂ）はプログラムを記録した記録媒体（以下、記録媒体と呼ぶ）を用いるプレ
ーヤーであり、本体９７０１、表示装置９７０２、スピーカ部９７０３、記録媒体９７０
４、操作スイッチ９７０５で構成される。なお、この装置は記録媒体としてＤＶＤ（Ｄｉ
ｇｔｉａｌ  Ｖｅｒｓａｔｉｌｅ  Ｄｉｓｃ）、ＣＤ等を用い、音楽鑑賞や映画鑑賞やゲ
ームやインターネットを行うことができる。
【０１８６】
図１８（Ｃ）はデジタルカメラであり、本体９８０１、表示装置９８０２、接眼部９８
０３、操作スイッチ９８０４、受像部（図示しない）で構成される。
【０１８７】
図１８（Ａ）はフロント型プロジェクターであり、表示装置９９０１、スクリーン９９
０２で構成される。本発明は表示装置やその他の信号制御回路に適用することができる。
【０１８８】
図１８（Ｂ）はリア型プロジェクターであり、本体１０００１、投射装置１０００２、
ミラー１０００３、スクリーン１０００４で構成される。本発明は表示装置やその他の信
号制御回路に適用することができる。
【０１８９】
なお、図１８（Ｃ）は、図１８（Ａ）及び図１８（Ｂ）中における投射装置９９０１、
１０００２の構造の一例を示した図である。投射装置９９０１、１０００２は、光源光学
系１０１０１、ミラー１０１０２、１０１０４〜１０１０６、ダイクロイックミラー１０
１０３、プリズム１０１０７、液晶表示装置１０１０８、位相差板１０１０９、投射光学
系１０１１０で構成される。投射光学系１０１１０は、投射レンズを含む光学系で構成さ
れる。本実施例は三板式の例を示したが、特に限定されず、例えば単板式であってもよい
。また、図１８（Ｃ）中において矢印で示した光路に実施者が適宜、光学レンズや、偏光
機能を有するフィルムや、位相差を調節するためのフィルム、ＩＲフィルム等の光学系を
設けてもよい。
【０１９０】
また、図１８（Ｄ）は、図１８（Ｃ）中における光源光学系１０２０１の構造の一例を
示した図である。本実施例では、光源光学系１０２０１は、リフレクター１０２１１、光
源１０２１２、レンズアレイ１０２１３、１０２１４、偏光変換素子１０２１５、集光レ
ンズ１０２１６で構成される。なお、図１８（Ｄ）に示した光源光学系は一例であって特
に限定されない。例えば、光源光学系に実施者が適宜、光学レンズや、偏光機能を有する
フィルムや、位相差を調節するフィルム、ＩＲフィルム等の光学系を設けてもよい。
【図１】
2014222358.tif 000003
【図２】
2014222358.tif 000004
【図３】
2014222358.tif 000005
【図４】
2014222358.tif 000006
【図５】
2014222358.tif 000007
【図６】
2014222358.tif 000008
【図７】
2014222358.tif 000009
【図８】
2014222358.tif 000010
【図９】
2014222358.tif 000011
【図１０】
2014222358.tif 000012
【図１１】
2014222358.tif 000013
【図１２】
2014222358.tif 000014
【図１３】
2014222358.tif 000015
【図１４】
2014222358.tif 000016
【図１５】
2014222358.tif 000017
【図１６】
2014222358.tif 000018
【図１７】
2014222358.tif 000019
【図１８】
2014222358.tif 000020
【図１９】
2014222358.tif 000021
【図２０】
2014222358.tif 000022
【図２１】
2014222358.tif 000023
【図２２】
2014222358.tif 000024
【図２３】
2014222358.tif 000025
【図２４】
2014222358.tif 000026
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記ドレイン電極の一部が前記透光性を有する導電膜のエッジ及び前記ソース配線のエッジに重なって配置されたことを特徴とする半導体装置。
【請求項２】
請求項１において、前記透光性を有する導電膜の上方に配置されたカラーフィルターを有し、
前記カラーフィルターの色に応じて前記透光性を有する導電膜と前記ソース配線に重なって配置された前記ドレイン電極の面積が異なることを特徴とする半導体装置。
【請求項３】
請求項１において、前記透光性を有する導電膜の上方に配置されたカラーフィルターを有し、
前記カラーフィルターの色の比視感度に応じて前記透光性を有する導電膜と前記ソース配線に重なって配置された前記ドレイン電極の面積が異なることを特徴とする半導体装置。
【請求項４】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記島状のゲート電極の一部が前記透光性を有する導電膜と前記ゲート配線の間隙に重なり、かつ、前記透光性を有する導電膜及び前記ゲート配線のエッジに重なって配置されたことを特徴とする半導体装置。
【請求項５】
第一の遮光性を有する導電膜からなる島状のゲート電極及びソース配線と、
第二の遮光性を有する導電膜からなる前記島状のゲート電極に電気的に接続するゲート配線と、
前記第二の遮光性を有する導電膜からなるドレイン電極と、
前記ドレイン電極に電気的に接続された透光性を有する導電膜とを有し、
前記ソース配線の第一の幅に対し前記ソース配線の第二の幅が２倍以上あり、
前記ソース配線の第二の幅を持つ領域が前記透光性の導電膜に重なって配置されることを特徴とする半導体装置。
【請求項６】
請求項１乃至５のいずれか一項において、
前記ドレイン電極に接して重ねられた前記透光性を有する導電膜があることを特徴とする半導体装置。